(57)【要約】映像データに基づいて光を発生し放射するための電気光学構造（３４）を有し、且つ、光を投影面（３，４）に所望に方向付けるための方向変更手段（８'）を有する光学システム（９）を有する、異なる投影面（３，４）に映像（２）を投影するための装置（１）であって、光学システム（９）は、少なくとも１つの移動可能に取り付けられた光学素子（１０Ａ，１０Ｂ）を有し、光が方向付けられるために選択された投影面（３，４）依存して、光学素子（１０Ａ，１０Ｂ）を光のビーム通路に出入りするよう移動し得る装置。
2006527415.tif 000002
【特許請求の範囲】
【請求項１】
映像データに基づいて光を発生し放射するための電気光学構造を有し、且つ、前記光を投影面に所望に方向付けるための方向変更手段を有する光学システムを有する、異なる投影面に映像を投影するための装置であって、前記光学システムは、少なくとも１つの移動可能に取り付けられた光学素子を有し、前記光が方向付けられるために選択される前記投影面依存して、前記光学素子を前記光のビーム通路に出入りするよう移動し得る装置。
【請求項２】
少なくとも１つの方向変更鏡が前記方向変更手段として設けられ、前記方向変更鏡は、前記移動可能に取り付けられた光学素子を同時に形成し、前記方向変更鏡は、前記光が第一投影面に向けられているときに、前記光の前記ビーム通路内の第一位置に位置し、前記方向変更鏡は、前記光が第二投影面に向けられているときに、前記光の前記ビーム通路外の第二位置に位置する、請求項１に記載の装置。
【請求項３】
前記方向変更鏡は、前記光のための出口開口の前に旋回可能に取り付けられ、且つ、該出口開口を覆う閉鎖位置で旋回され得る、請求項２に記載の装置。
【請求項４】
前記方向変更鏡は、それに関連して、前記方向変更鏡を再位置付けするためのモータを有する、請求項２に記載の装置。
【請求項５】
前記モータは、それを制御可能とするために、電子投影面選択手段に接続されている、請求項４に記載の装置。
【請求項６】
少なくとも１つの移動可能な映像形成レンズが前記移動可能に配置された光学素子として設けられ、前記映像形成レンズは、前記光が第一投影面に向けられているときに、前記光の前記ビーム通路の外側の第一位置に位置し、前記映像形成レンズは、前記光が第二投影面に向けられているときに、前記光の前記ビーム通路の内側の第二の活性位置に位置する、請求項１に記載の装置。
【請求項７】
前記映像形成レンズは、少なくとも２つの部分レンズを有する、請求項６に記載の装置。
【請求項８】
前記映像形成レンズは、移動可能なスライダの上に取り付けられている、請求項６に記載の装置。
【請求項９】
前記映像形成レンズは、それに関連して、前記映像形成レンズを再位置付けするための駆動モータを有する、請求項６に記載の装置。
【請求項１０】
それを制御可能にするために、前記モータは電子投影面選択手段に接続されている、請求項９に記載の装置。
【請求項１１】
前記映像形成レンズは、比較的短距離に設けられた投影面に前記映像を投影するよう、前記光の前記ビームを発散させるための発散レンズによって形成されている、請求項６に記載の装置。
【請求項１２】
前記映像形成レンズはフレネルレンズによって形成されている、請求項１１に記載の装置。
【請求項１３】
少なくとも１つの移動可能な映像形成レンズがさらなる移動可能に取り付けられた光学素子として設けられ、前記映像形成レンズは、前記光が前記第一投影面に向けられているときに、前記光の前記ビーム通路の外側の第一位置に位置し、前記映像形成レンズは、前記光が前記第二投影面に向けられているときに、前記光の前記ビーム通路の内側の第二の活性位置に位置する、請求項２に記載の装置。
【請求項１４】
前記方向変更鏡及び前記映像形成レンズは駆動のために連結されている、請求項１３に記載の装置。
【請求項１５】
当該装置は、壁投影及び天井投影のために部屋内に配置するよう床取付型機器の形態である、請求項１に記載の装置。
【発明の詳細な説明】
【技術分野】
【０００１】
本発明は、映像データに基づき光を発生し且つ放射するための電気光学配置を有し、且つ、光を所望に投影面に方向付けるための方向変更手段を含む光学システムを有する、映像を異なる投影面に所望に投影するための装置に関する。
【背景技術】
【０００２】
映像を異なる又は多様な投影面に投影するためのこの種類の装置は、例えば、米国特許出願公開第２００２／０１０５６２３Ａ号から既知である。この装置は、映像、特に、「移動する」記号を多様な投影面に方向付ける投影機であり、その目的のために、方向変更装置が、互いに直交角度に位置する２つの軸について旋回可能な鏡の形態で提供されている。投影映像の歪みが鏡の傾斜と一致して電子的に補正されるのを可能にするために、鏡の旋回動作が検知され、且つ、電気光学補正手段に供給される。しかしながら、投影面とビデオ投影器との間の距離に依存して異なるサイズの投影映像が得られるという事実のために、この場合には許容差がなく、それはしばしば望ましくない。
【０００３】
さらに、最近、ホームシネマの目的のために、所謂ビデオ投影機が益々頻繁に用いられるようになっており、そこでは、ビデオ映像は部屋の壁に投影される。この場合には、投影方向が変化される願望があり得る。この関係で、レンズが所望に水平方向又は垂直方向に位置付けられるよう異なる方法で配置し得る投影機が米国特許出願公開第２００３／０００２０１６Ａ号に開示されている。これと同様に、レンズが第一位置にあるときに映像が部屋の壁に投影され、且つ、レンズが第二位置にあるときに映像が部屋の天井に投影されるのを許容するために、この種の投影機は旋回可能なレンズも備え得る。この場合、回転映像を天井に投影可能にするために、映像投影機がベース上に回転可能に配置されることも提案されている。
【０００４】
既知の投影装置の欠点は、仮に異なる投影面に投影される映像品質に何らかの措置が講じられるとしても、複雑且つ高価な方法でだけであり、特に投影面と投影装置との間に異なる距離があるときには、異なるサイズの映像が得られる場合もあり、それはしばしば欠点であり且つ望ましくない。
【発明の開示】
【発明が解決しようとする課題】
【０００５】
従って、映像を所望に異なる投影面に投影するための装置を提供することが本発明の目的であり、この場合には、映像が投影面に対して異なる向きで、且つ、投影面から異なる距離で投影されるときに、映像歪みが可能な限り簡単な方法で回避されるべきであり、さらに、具体的には、多様な距離に位置する投影面に投影されるときでさえ、装置に関する限り特別な費用又は複雑さなしに、映像が所望のサイズで投影されることが可能であるべきである。
【課題を解決するための手段】
【０００６】
この目的が達成されるのを許容するために、本発明は以下の特定の方法で特徴付けられ得る装置を提供する。即ち、
【０００７】
映像データに基づいて光を発生し放射するための電気光学構造を有し、且つ、光を投影面に所望に方向付けるための方向変更手段を有する光学システムを有する、異なる投影面に映像を投影するための装置であって、光学システムは、少なくとも１つの移動可能に取り付けられた光学素子を有し、光が方向付けられるために選択された投影面依存して、光学素子を光のビーム通路に出入りするよう移動し得る装置。
【０００８】
具体的には、２つのそのような可動光学素子、即ち、方向変更又は方向変化素子及び映像形成素子を設け得る。
【０００９】
よって、本発明に従った装置においては、どの投影面に映像が投影されるべきかに依存して、光学システムの可動光学素子を、光のビーム通路の内側又は外側に配置し得る。その結果、映像投影は、その時点で選択された投影面に投影される映像が所望のサイズ及び品質であるような方法で決定される。もし、例えば、方向変更鏡が方向変更手段として設けられているならば、それは同時に本発明に従った移動可能に取り付けられた光学素子を形成し得る。従って、この方向変更鏡は、光が第一投影面に向けられるときに、光のビーム通路の内側の第一位置に位置し、光が第二投影面に向けられているときに、光のビーム通路の外側の第二位置に位置し、それは光が方向変更されることなく第二投影面に伝達されることを意味する。１つの投影面が部屋の壁であり、他の投影面が部屋の天井であるべきときに、この種類の実施態様は特に有利であり、その場合には、投影装置、即ち、その光学システムにおけるビーム通路の整合に依存して、光が方向変更鏡に到達する以前に、壁投影が望ましいとき、方向変更鏡は例えば活性第一位置に位置するのに対し、天井投影が望ましいとき、それは不活性第二位置に位置する。装置の光学システム内のビーム通路が方向変更鏡の上流と垂直方向に整列する場合、もし鏡それが旋回鏡の形態にあるならば、鏡は第一位置において例えば水平線に対して約４５°の傾斜にあり、このようにして、実質的に水平に且つ如何なる歪みもなしに、光を第一投影面としての部屋の壁に投影する。しかしながら、もし方向変更鏡が光の垂直なビーム通路の外側に旋回するならば、光は垂直に上方に部屋の天井に伝達される。方向変更鏡は、利点を備えて、光のための出口開口に旋回的に取り付けられ、方向変更鏡を出口開口を覆う閉鎖位置に旋回し得る。この場合、壁及び天井投影をもたらす最後に述べられた実施態様において、光のための出口開口を投影のための装置のハウジング内の上方水平面内に設けることが可能であり、よって、方向変更鏡は水平静止又は閉鎖位置を有し、その第一の活性旋回位置で、それは約４５°に傾斜し、最終的に、第二の不活性旋回位置で、それは閉鎖位置の外側、よって、光のビーム通路の外側に９０°より大きく旋回する。
【００１０】
方向変更鏡の再位置付けは基本的に手動で行われ、その場合には、それを２つの位置で係止するために、調節可能な停止手段又は戻り止、同様に、比較的堅い（旋回）取付を設け得る。それは方向変更鏡が単に摩擦の結果としてその時にその位置に固定状態に維持されることを意味する。しかしながら、操作のより大きな便宜のために、もし方向変更鏡がそれに関連してそれを再位置付けするためのモータを有するならば有利である。この場合、モータは、例えば、０°〜１２０°又は１３０°の旋回範囲に亘って、方向変更鏡の前後運動を生成するために出力端に減速ギアボックスを有する、小さく安価な電気モータであり得る。「壁投影」又は「天井投影」への設定を実質的に「ボタンの押圧で」達成し得るよう、装置は電子投影面選択手段を備え得る。この場合、モータを投影面選択手段に接続し得ることで、それが制御されることを許容する。
【００１１】
状況は投影面が投影装置から異なる距離にあるということがしばしばであり、それは映像サイズが調節されるのが望ましいことを意味する。例えば、ホームシネマの場合には、３ｍ〜６ｍの距離が壁投影の場合に利用可能であることが完全に考えられるのに対し、天井投影の場合には、且つ、もし装置が隆起位置から映像を投影しているならば、部屋の高さが約２．５ｍ〜３ｍであると推定すると、投影距離はほんの１．５ｍであり得る。本例において、これが意味することは、天井上で映像によって照らされた領域は、壁投影の場合に存在する映像領域の約９分の１に過ぎないことである。しかしながら、これと完全に対照的に、望ましいことは、天井が特に大きな領域に亘って照らされることである。従って、特に有利な実施態様において、本発明は、移動可能に配置された光学素子として、光が第一投影面に向けられるとき、光のビーム通路の外側の第一位置に位置し、且つ、光が第二投影面に向けられるとき、光のビーム通路の内側の第二の活性位置に位置する、少なくとも１つの移動可能な映像形成レンズを設けるようにする。この場合には、たとえそれが鏡に代替する可動光学素子の実施態様を形成するとしても、上述の方向変更鏡に加えて、少なくとも移動可能な映像形成レンズが設けられる。光学システムの設計に依存して、例えば、壁投影の場合に映像サイズの減少をもたらすために映像形成レンズを用いることができ、天井投影の場合には不活性位置に至らされる。しかしながら、これは光学システムが比較的短い投影距離での比較的大きな映像の形成のために最初から設計されなければならないことを意味し、この場合には、映像のこの拡大の一部が壁投影のために再び取り消されなければならない。従って、壁投影のために映像形成レンズが静止位置に保持され、天井投影の場合には、光ビームが発散させ投影映像に拡大させるために、それが光のビーム通路内の活性位置に移動されるのがより有利である。この場合には、映像形成レンズが旋回可能なホルダ上に取り付けられること、及び、それがこのようにして静止位置と活性位置との間で前後に旋回されることが考えられる。しかしながら、空間を考慮して、映像形成レンズが移動可能なスライダ上に取り付けられることが特に有益である。この場合には、映像形成装置が手動で再位置付けされるようにされるが、それが駆動モータを用いて再位置付けされるのが好ましく、その場合には、それが制御されるのを許容するために、駆動モータをもう一度再び投影面に接続し得る。少量の空間のみが映像形成レンズのために提供される必要があるよう、且つ、同様に簡単且つ安価な解決策を提供し得るよう、画像形成レンズはフレネルレンズであれば有益である。
【００１２】
方向変更鏡及び画像形成レンズの双方が可動光学素子として設けられているならば、駆動の目的のためにそれらを連結し得る。この場合、もし問題の光学素子が手動で移動されるべきであるならば、連結は純粋に機械的でさえあり得る。その場合には、採用される解決策は、例えば、方向変更鏡及び映像形成レンズが連結リンクによって連結されるところのものであり、よって、方向変更鏡が光のビーム通路の外側の第二旋回位置に再位置付けされるとき、同時に、映像形成レンズは光のビーム通路に移動される。しかしながら、上述の投影面選択手段に結合された制御ユニット内に駆動連結を電子形態で提供し得る。
【００１３】
基本的には、映像を異なる投影面に投影するための本発明に従った装置を卓上ユニットとして構成し得るが、所謂床取付型機器、即ち、壁及び天井投影のために部屋内に配置するためのベース又は脚を有するものとして構成されるのが好ましい。
【００１４】
本発明のこれらの及び他の特徴は、以下に記載の好適実施態様を参照することで明瞭に解明されるが、本発明はこれらの実施態様に限定されるものと考えられるべきではない。
【発明を実施するための最良の形態】
【００１５】
図１に示されているのは、距離Ｄに位置する部屋５の壁３、又は、部屋５の天井４に映像２を選択的に投影するための装置１である。それ自体は既知であるように、部屋５の床７の上に配置するために、装置１はベース６を有する床取付機器の形態である。以下に短く投影機と呼ぶ映像を投影するためのこの種類の装置は、ホームシネマシステムのために益々用いられており、この場合、映像形成、即ち、投影に必要な光ビームを発生するために、投影機は、例えば、陰極管、ＤＭＤパネル、又は、ＬＣＤパネルのような広範な技法を用いる。用途の他の分野はプレゼンテーションの目的のための投影機である。映像データ、及び、適当な場合には音声データも、オンラインで接続されたＰＣから、ＣＤプレーヤー又はＤＶＤプレーヤーのような再生ステーションから、或いは、直接的にインターネット接続から電子的に投影機に供給され得る。ビデオ及び音声データの供給は、アンテナ入力を介してワイヤレスに遂行されてもよく、その場合には、投影機の電子手段は、それ自体は普通であるように、チューナを有する音声及びビデオ段階を含む。そのような品目は全て十分に既知であり、従って、それらに関してここで詳細に記載される必要はない。
【００１６】
床取付型機器の形態にあるとき、垂直ビーム通路、即ち、垂直主光学軸１６（図１と同様に図２も参照）を有するために、本投影機は内部的に整列され、且つ、映像が壁３に満足に投影される得ることを保証するために、例えば、１．５ｍ〜２ｍのオーダの適当な高さである。この場合、映像２は方向変更手段８'を用いて壁３に投影される。方向変更手段８'は投影機１の光学システムの一部を形成し、且つ、反射領域８ａを有する方向変更鏡８の形態であり、この場合、図２に示される活性方向変更位置において、方向変更鏡８は水平と約４５°の角度をなし得る。方向変更鏡８は旋回鏡の形態に構成され、図１に示される図における、それに対する水平位置において、それは反時計回り方向に旋回して下げられ、それは投影機１の上部にヒンジ付きカバーとして支持される。水平位置において、方向変更鏡８は投影機１内部の構成部材をダスト等から保護する。他方、方向変更位置において、それは壁３上の映像２の垂直位置が反射領域８ａと正確に位置付けられることを許容し、その場合には、シネマスクリーン等のようなスクリーンが壁３に提供され得る。よって、壁３上の映像の垂直位置付けは方向変更鏡８の傾斜角度の精細な調節によって遂行され、それは投影機１の高さが全体として調節される必要がないことを意味する。この種類の傾斜の調節が求められる場合には、冒頭に述べたように、基本補正が補正アルゴリズムを用いた方向変更鏡８の傾斜角度に基づいてなされるべきことも既知である。
【００１７】
上記の種類の従来的な壁投影に関してと同様に、本投影機１は天井投影のためにも配置され、よって、投影機１のための追加的な可能な用途を提供する。壁投影の場合に起こることと同様の方法で映像を投影するために、例えば、ベッドに横たわっている人がビデオフィルムを見るのを可能にするために、この天井投影を用い得るが、天井投影が「意識的に」或いは注意深く見られない映像を再生するために、例えば、雲のある空或いは木々に形成された葉の林冠等のように無意識的に知覚される傾向のある映像を天井４に投影するために用いることも等しく可能である。この種類の映像は、人々を癒し且つリラックスさせるために用いられ、且つ、特定の雰囲気を生成するために用いられる。
【００１８】
天井投影における投影方向は壁投影と異なり、もし単一且つ同一の方向変更鏡８又は一般的用語では方向変更手段８'（図２も参照）が双方の投影方向のために用いられるとするならば、映像の投影は単に映像歪みの観点から問題であろう。主光学軸１６を水平方向に位置するよう配置し得ることを述べ得る。
【００１９】
壁投影に比べ天井投影で問題が生じるので、他の措置が取られないならば、壁に対するＤよりもかなり短い距離Ｈの故に（図１を参照）、天井投影の場合には、壁投影の場合の映像サイズに比べかなり小さな映像が生成されるであろう。これらの２つの距離Ｈ及びＤの間の比率は１：３のオーダであることが可能であり、それは投影機１の光学システム９の鮮明度の収束又は調節によって対応する要件が満足されなければならないことを意味する。
【００２０】
従って、これらの問題を解決するために、特別な可動光学素子１０Ａ，１０Ｂが本投影機１において投影機１の光学システム９の領域に設けられ、この光学システム９は図２に概略的にのみ示されている。この場合、１つの可動光学素子１０Ｂは方向変更手段８'、即ち、方向変更鏡８によって形成され、それは、図２において一点鎖線で示され、且つ、壁投影の場合（図１を参照）に方向変更鏡８が占める活性第一旋回位置Ｂから、図２において実線で示される不活性第二位置Ｃに旋回され得る。
【００２１】
光のための投影機の出口開口１２の領域において投影機１の光学システム９の頂部に、好ましくは、第一可動光学素子１０Ｂ、即ち、方向変更手段８'との組み合わせで、第二可動光学素子１０Ａとして設けられているのは、映像形成レンズ１１である。映像形成レンズ１１は、概略的にのみ図示され且つ如何なる詳細も可視的でない横方向ガイド上を直線的に移動可能なスライダ１３上に取り付けられている。このようにして、図２において破線で示され且つ壁投影中に取られる第一の非活性位置Ｐと、実線で示される天井投影のための第二の活性位置Ｑと間に映像形成レンズ１１を再位置付けし得る。
【００２２】
同様に図２に概略的に示されているのは、鏡８を方向変更するための旋回取付１４であり、光のための出口開口１２の側面に沿って投影機１のハウジング１５上に設けられている。これと同様に破線で図示されている何か他のものは、ハウジング１５の頂部上の方向変更鏡８の水平閉鎖位置Ａ、即ち、方向変更鏡８が光のための出口開口１２を閉鎖する位置である。加えて図示されているのは、投影機１の光学システム９の垂直光学軸１６であり、この光学システム９は動作中に垂直方向に整列し、方向変更又は方向変化の後、ビーム中心線１６'は、壁投影のために用いられる投影のほぼ水平方向の方向変更鏡８を指し、そのとき、方向変更鏡８は活性第一旋回位置Ｂにある（図２において一点鎖線で示される位置を参照）。広く発散する光１７のコーンとして同様に図示されているのは、天井投影における光ビームの状態である。この比較的広い光ビームの発散は映像形成レンズ１１によって達成され、この天井投影の場合、映像形成レンズはビーム通路のＱ位置に移動すると同時に、方向変更鏡８は旋回してビーム通路から外れ、図２で実線で示されるような不活性第二旋回位置Ｃに移動する。
【００２３】
映像形成レンズ１１はフレネルレンズによって形成されるのが好ましく、それによって、収束範囲が適合され、換言すれば、さもなければ必要な収束調節が低減され、天井に投影される映像の少なくとも部分的な補正も達成する。壁投影の場合に適合するものと対照的に、天井投影における映像が上述のように「無意識的」又は無意識下に知覚され得る傾向のものであるとき、天井映像において求められる映像品質は一般的に特に高くなく、よって、簡単なフレネルレンズの映像形成品質さえも申し分ない。映像形成レンズ１１としてのこの種類のフレネルレンズは特に空間経済的であるという利点も有する。勿論、フレネルレンズではなく、光ビームを発散させる他の（凹面）レンズ（又は複数のレンズを有するレンズシステム）を可動光学素子１０Ａとして用いることも可能である。映像形成レンズ１１を例えば互いに調節可能な２部材レンズに分割することもさらに考え得る。この調節は同一方向に行われ得るが、もし反対方向に移動することによって２部材レンズを光ビームの通路から出し入れし得るならば、極めて有利であることが分かった。部材レンズを互いに反対方向に接近及び離間する方句に移動し得るのが好ましく、このようにして、水平方向におけるスライド運動のための所要空間が少なくなる。映像形成レンズ１１が直線運動を行うのではなく、方向変更鏡８と類似の方法で、水平面における旋回運動或いは水平軸についての蝶番運動を行うようにすることも考えられる。原理的には、距離Ｈ及びＤの間の差が大き過ぎず、且つ、不活性位置に旋回される方向変更鏡８を用いて映像形成品質によって満足されるべき要件がかなり低いとき、もし単一可動光学素子１０Ｂとしての方向変更鏡８を用いて処理することが可能であるならば、映像形成レンズ１１を省略し得る。ビデオフィルムを見るために必要な映像投影機は別として、もし所望の全てが映像コンテンツを含まない調節された着色光によって部屋内に生成される特別に可変な周囲照明であるならば、これは完全に良く該当し、この場合には、この周囲照明の例えば明度及び色だけが調節される。
【００２４】
基本的には、方向変更鏡８を手動で旋回し得る。その場合には、方向変更鏡８が設定される如何なる位置にも摩擦係合によって固定されたままとなるよう、旋回取付１４を比較的堅く配置することが考えられる。同様に、他の可動光学素子１０Ａ、即ち、映像形成レンズ１１を活性位置Ｑに移動し、この位置から手動で不活性位置に戻し得る。この場合、具体的には、例えば牽引ケーブル及び／又はリンク（図示せず）を用いることによって、２つの光学素子１０Ａ，１０Ｂの間に駆動接続を設けることが考えられる。
【００２５】
しかしながら、例えば、旋回取付１４で方向変更鏡８に関連付けられた関連する出力ギアボックスを有する電気モータ１８（図３も参照）の形態、及び、映像形成レンズ１１のためのさらなる電気駆動モータ１９の形態のモータ駆動が２つの可動光学素子１０Ａ，１０Ｂのそれぞれのために設けられるのが好ましい。この駆動モータ１９は、例えば、映像形成レンズ１１を配置するスライダ１３上のラック２１と歯合するピニオン２０を駆動する。
【００２６】
図３に示されるように、光学システム９の対物レンズ２３の自動焦点のために、さらなるモータ２２が設けられている。図３に示されるように、全てのモータ１８，１９，２２はモータ駆動回路２４によって駆動され、モータ駆動回路の入力はモータ制御回路２５に接続され、光学素子１０Ａ，１０Ｂを順次又は同時に移動可能にするために、モータ制御回路は光学素子１０Ａ，１０Ｂのための駆動の結合を電子的に生成する。その入力端でモータ制御回路２５に関連付けられているのは、手動動作のための入力モジュール２６であり、このようにして、壁投影又は天井投影のいずれかが選択されるときに、モータ制御回路、モータ駆動回路、及び、対応モータ１８，２９の助けを得て、方向変更鏡８及び映像形成レンズ１１を自動的に適切な位置に制御可能とするために、この入力モジュールは電子投影面選択手段２７を含む。
【００２７】
加えて、破線で指し示される入力ユニット２８の一部である入力モジュール２６を、例えば、対物レンズ２３の手動焦点のためのような他の入力と共に設け得る。
【００２８】
入力ユニット２８は、ビデオ入力モジュール２９及び音声入力モジュールも含む。ビデオ入力モジュール２９の下流に接続されているのは、駆動回路３３を介した光源３２の制御のための適切な画像データが入力デジタル又はアナログビデオ入力信号から得られるのを可能にするためのデジタル信号プロセッサ回路（ビデオＤＳＰ）３１である。述べられたように、例えばＬＣＤパネルの形態で光源３２を実施し得る。この場合には、映像発生のための電気光学手段３４はこれらの構成部材によって形成される。
【００２９】
同様に、多チャネル出力を介してラウドスピーカ３６を駆動する音声信号プロセッサユニット（音声ＤＳＰ）３５が音声入力モジュールに接続されている。
【００３０】
入力ユニット２８は、それに関連して、投影面選択手段２７のため、よって、モータ１８，１９，２２のための遠隔制御（図示せず）も有し得る。また、述べられたように、入力段階等を備えた従来的なアンテナ入力は、ビデオ信号及び音声信号のそれぞれのための入力モジュール２９，３０として作用し得る。
【００３１】
背景「映像」（「周囲照明」）が生成されるべき場合、及び、プログラムによって命令されるときに、照明効果がそれらから事前プログラム化されたシーケンスで生成され得るような方法で、ビデオ信号及び音声信号をデジタル信号プロセッサ３１，３５内で分析し得る。その場合には、必要であるならば、適当な色及び強度の並びに適当なシーケンスの光の適合パターンを音声及びビデオ信号の分析から直接発生し得る。このようにして、音声信号が例えばダンス音楽である場合、パーティーの雰囲気を盛り上げるために、異なる色の稲妻状の照明効果を部屋５の天井４に自動的に生成し得る。
【００３２】
部屋の２つの異なる壁に映像を投影するために、上述された装置１から修正された実施態様の形態の本発明に従った装置も構成し得る。その双方は好ましくは直交して或いは僅かに傾斜して延び、或いは、２つの異なる投影面以上、例えば、３つ又は４つの投影面にさえ延びる。
【図面の簡単な説明】
【００３３】
【図１】映像を部屋の壁又は部屋の天井に所望に投影するための床取付型機器の形態の装置を示す概略図である。
【図２】映像を投影するための装置の上部を極めて概略的に示す縦断面図である。
【図３】装置の電子的及び光学的手段を示すブロック図である。
【図１】
2006527415.tif 000003
【図２】
2006527415.tif 000004
【図３】
2006527415.tif 000005
【国際調査報告】
2006527415.tif 000006
2006527415.tif 000007
2006527415.tif 000008
2006527415.tif 000009
2006527415.tif 000010